(57)【要約】【課題】表示品質を向上させることができる反射シート、これを有する表示装置、及び表示装置の熱分散方法を開示する。【解決手段】表示装置６００は、水平方向の熱伝導率が垂直方向の熱伝導率より相対的に高い反射シート２６０を具備する。反射シート２６０は、多数のランプ２１０から発生した熱を水平方向に迅速に拡散して、多数のランプ２１０の第１電極側と第２電極側との間の温度差異を減少させることができる。これによって、液晶表示装置６００は輝度分布を均一に維持することができる。【選択図】図４
2006126843.tif 000002
【特許請求の範囲】
【請求項１】
光を反射する反射層と、
前記反射層の一面に具備される分散層と、を含むことを特徴とする反射シート。
【請求項２】
前記分散層は、黒鉛を含む有機物質からなることを特徴とする請求項１記載の反射シート。
【請求項３】
前記分散層は、垂直方向の熱伝導率より水平方向の熱伝導率が高いことを特徴とする請求項１記載の反射シート。
【請求項４】
前記分散層は、前記反射シートの表面と平行な方向への熱伝達が前記反射シートの表面と垂直な方向への熱伝達より速いことを特徴とする請求項１記載の反射シート。
【請求項５】
前記分散層及び前記反射層との間に介在され、前記分散層と前記反射層を結合する接着部材を更に含むことを特徴とする請求項１記載の反射シート。
【請求項６】
前記反射層は、ポリエチレンテレフタレート（ＰＥＴ）材質からなることを特徴とする請求項１記載の反射シート。
【請求項７】
前記分散層は、２次元的に連結された層状構造を有する炭素を含むことを特徴とする請求項１記載の反射シート。
【請求項８】
光を利用して画像を表示する表示パネルと、
前記表示パネルの下に具備され、前記光を発生して前記表示パネルに提供する光源と、
前記光源の下に具備され、前記光源から入射された光を前記表示パネルに反射し、前記光源から発生した熱を外部に放出する反射部材と、を含むことを特徴とする表示装置。
【請求項９】
前記反射部材は、
前記光を反射する反射層と、
前記反射層の一面に具備され、前記熱を外部に放出する分散層と、を含むことを特徴とする請求項８記載の表示装置。
【請求項１０】
前記分散層は、黒鉛を含む有機物質からなることを特徴とする請求項９記載の表示装置。
【請求項１１】
前記分散層は、垂直方向の熱伝導率より水平方向の熱伝導率が高いことを特徴とする請求項９記載の表示装置。
【請求項１２】
前記分散層及び前記反射層の間に介在されて前記分散層と前記反射層を結合する第１接着部材を更に含むことを特徴とする請求項９記載の表示装置。
【請求項１３】
前記反射部材を収納し、前記反射部材から伝導された熱を外部に放出する収納容器を更に含むことを特徴とする請求項９記載の表示装置。
【請求項１４】
前記分散層は、前記収納容器の底面と前記反射層との間に位置することを特徴とする請求項１３記載の表示装置。
【請求項１５】
前記反射部材と前記収納容器との間に介在されて前記反射部材を前記収納容器の底面に付着させる第２接着部材を更に含むことを特徴とする請求項１３記載の表示装置。
【請求項１６】
前記反射シートと前記分散層は、前記反射層と分散層との間に介在された付加的な接着部材を更に含むことを特徴とする請求項１５記載の表示装置。
【請求項１７】
前記反射シートは、
前記反射シートの表面と平行な方向に熱を分散させる有機物質と、
前記有機物質と混合され、光を反射することができる反射物質と、を含むことを特徴とする請求項８記載の表示装置。
【請求項１８】
熱を反射シートの表面と平行な方向に拡散する有機物質と、
前記有機物質と混合され光を反射する反射物質と、を含むことを特徴とする反射シート。
【請求項１９】
前記有機物質は黒鉛を含み、前記反射物質はポリエチレンテレフタレートを含むことを特徴とする請求項１４記載の反射シート。
【請求項２０】
反射板、及び前記反射板に隣接して配置されたバックライトアセンブリを含む表示装置の熱を分散させる表示装置の熱分散方法であって、
前記バックライトアセンブリから発生した熱を、前記反射シートを通じて前記表示装置の収納容器に分散させる段階を含む表示装置の熱分散方法。
【請求項２１】
前記バックライトアセンブリから発生した熱を前記反射シートを通じて前記表示装置の収納容器に分散させる段階は、前記熱を前記反射シートの表面と垂直な方向より平行な方向に速く分散させる段階を含むことを特徴とする請求項２０記載の表示装置の熱分散方法。
【請求項２２】
光を反射させる反射物質と熱を分散させる分散物質を含む反射シートを提供する段階を更に含むことを特徴とする請求項２０記載の表示装置の熱分散方法。
【請求項２３】
前記反射物質は反射層に提供され、前記分散物質は分散層に提供され、前記方法は第１接着部材を利用して前記反射層を前記分散層に接着させる段階を更に含むことを特徴とする請求項２２記載の表示装置の熱分散方法。
【請求項２４】
第２接着部材を用いて前記分散層を前記収納容器に接着させる段階を更に含むことを特徴とする請求項２３記載の表示装置の熱分散方法。
【請求項２５】
前記接着物質を前記反射物質に含んで前記反射シートを形成することを特徴とする請求項２２記載の表示装置の熱分散方法。
【発明の詳細な説明】
【技術分野】
【０００１】
本発明は、反射シート、及びこれを有する表示装置、並びに表示装置の熱分散方法に関し、より詳細には、表示品質を向上させることができる反射シート、及びこれを有する表示装置、並びに熱分散方法に関する。
【背景技術】
【０００２】
一般に、表示装置は、外部から入力される画像信号に応答して画像を表示する。液晶表示装置は平板表示装置の一種であって、液晶の光学的特性を利用して画像を表示する。
【０００３】
液晶表示装置は、光を利用して画像を表示する液晶表示パネル、及び液晶表示パネルに光を提供するバックライトアセンブリを含む。一般に、バックライトアセンブリは、光源の位置によってエッジ型バックライトアセンブリ及び直下型バックライトアセンブリに区分される。
【０００４】
直下型バックライトアセンブリは、液晶表示パネルの画像が表示される表示領域に対応して配置され、液晶表示パネルに光を提供する多数のランプ、ランプの下に具備されランプから入射された光を液晶表示パネルに反射する反射シート、及び反射シートを収納する収納容器を具備する。
【０００５】
以下、図面を参照して、多数のランプから発生された熱による温度分布を具体的に説明する。
【０００６】
図１は、従来の直下型バックライトアセンブリにおける多数のランプの領域別に温度分布を説明するための平面図である。
【０００７】
図１を参照すると、多数のランプ１０は、第１方向に互いに所定の距離だけ離隔して配置され、各ランプは第１方向と直交する第２方向に延長され形成される。
【０００８】
各ランプは、電源の提供を受けて光を発生させるランプチューブ１１、ランプチューブ１１の第１端部に具備され電源を提供するコールド電極１２、及びランプチューブ１１の第１端部と対向する第２端部に具備され電源を提供するホット電極１３を含む。この際、ホット電極１３は、コールド電極１２より高い電圧が印加される。
【０００９】
多数のランプ１０の位置及び電圧の差異による温度分布を確認するために、多数のランプ１０を第１乃至第９領域Ａ１、Ａ２、Ａ３、Ａ４、Ａ５、Ａ６、Ａ７、Ａ８、Ａ９に区画する。この際、各領域Ａ１、Ａ２、Ａ３、Ａ４、Ａ５、Ａ６、Ａ７、Ａ８、Ａ９のサイズは同じである。
【００１０】
液晶表示装置は、地面に対して垂直方向に立てて使用することが一般的である。第１乃至第３領域Ａ１、Ａ２、Ａ３は、地面に対して水平方向に同一線上に位置して、地面と隣接して位置する。第４乃至第６領域Ａ４、Ａ５、Ａ６は、地面に対して水平方向に同一線上に位置して、第１乃至第３領域Ａ１、Ａ２、Ａ３と実質的に平行であり、第１乃至第３領域Ａ１、Ａ２、Ａ３より地面から離れて配置される。第７乃至第９領域Ａ７、Ａ８、Ａ９は、地面に対して水平方向に同一線上に位置して、第４乃至第６領域Ａ４、Ａ５、Ａ６と実質的に平行であり、第４乃至第６領域Ａ４、Ａ５、Ａ６より地面から離れて配置される。
【００１１】
下記表１は、多数のランプ１０を一定時間駆動した後、各領域Ａ１、Ａ２、Ａ３、Ａ４、Ａ５、Ａ６、Ａ７、Ａ８、Ａ９別に温度を測定した結果である。
【００１２】
【表１】
2006126843.tif 000003
【００１３】
表１を参照し、各領域Ａ１、Ａ２、Ａ３、Ａ４、Ａ５、Ａ６、Ａ７、Ａ８、Ａ９別の温度分布を比較すると、液晶表示装置の上部側に位置する第７乃至第９領域Ａ７、Ａ８、Ａ９が他の領域より温度が高い。これは、多数のランプ１０から発生した熱が対流現象によって液晶表示装置の上部側に集中するためである。一般に、各ランプの周辺温度が約４５℃以上になると、ランプの内部に注入された水銀の蒸気圧が変わって、ランプの輝度が減少する。これによって、液晶表示パネルの上部側の輝度が減少して表示品質が低下する。
【００１４】
又、相対的に高い電圧が印加されるホット電極１３側で熱が多く発生するので、第３領域Ａ３、第６領域Ａ６、及び第９領域Ａ９の温度が高い。これによって、ランプの内部に注入された水銀が一方に偏重され、ランプのホット電極側とコールド電極側との間に輝度が互いに相違する。
【００１５】
このように、地面から離れる領域であるほど、そして、ランプのホット電極１３に近い領域であるほど、温度が高い。特に、液晶表示装置の上部側でホット電極１３側に位置する第９領域Ａ９は、約５６．９２℃と温度が一番高く、液晶表示装置の下部側でコールド電極１２側に位置する第１領域Ａ１は、約４３．３６℃と温度が一番低い。第９領域Ａ９と第１領域Ａ１との間の温度差は、約１３．５６℃であって、大きな差異がある。
【００１６】
このような液晶表示装置の内部の温度上昇及び温度差異を克服するために、多数のランプから発生された熱を迅速に外部に放出しなければならない。一般に、多数のランプから発生された熱は、反射シートに伝導される。反射シートに伝導された熱は、金属材質の収納容器に伝導され外部に放出される。反射シートは合成樹脂からなり、熱伝導度が低い。従って、多数のランプから発生された熱が迅速に収納容器に伝導されず、これによって熱が迅速に外部に放出されない。
【発明の開示】
【発明が解決しようとする課題】
【００１７】
本発明の目的は、熱を効率的に放出して、表示品質を向上させることができる反射シートを提供することにある。
【００１８】
又、本発明の目的は、前記した反射シートを具備する表示装置を提供することにある。
【００１９】
又、本発明の目的は、表示装置から発生した熱を分散させる方法を提供することにある。
【課題を解決するための手段】
【００２０】
前記した本発明の目的を実現するための一特徴による反射シートは、反射層及び分散層で構成される。
【００２１】
反射層は、外部から入射された光を反射する。分散層は、反射層の一面に具備され熱を外部に放出する。
【００２２】
又、前記した本発明の目的を実現するための一特徴による表示装置は、表示パネル、光源、及び反射部材で構成される。
【００２３】
表示パネルは、光を利用して画像を表示する。光源は、表示パネルの下に具備され、光を発生して表示パネルに提供する。反射部材は、光源の下に具備され光源から入射された光を表示パネルに反射して、光源から発生した熱を水平方向に拡散して外部に放出する。
【００２４】
又、本発明による熱放出方法は、反射板及び前記反射板に隣接して配置されたバックライトアセンブリを含む表示装置の熱を分散させる表示装置の熱分散方法であって、前記バックライトアセンブリから発生した熱を、前記反射シートを通じて前記表示装置の収納容器に分散させる段階を含む。
【００２５】
このような反射シート及びこれを有する表示装置によると、反射部材は、熱を水平方向に拡散して放出するので、表示装置の特定領域に熱が集中されることを防止することができ、表示装置の輝度分布を均一に維持することができる。
【発明を実施するための最良の形態】
【００２６】
以下、添付図面を参照して、本発明をより詳細に説明する。
【００２７】
図２は、本発明の一実施形態による液晶表示装置を示す分解斜視図である。
【００２８】
図２を参照すると、本発明による液晶表示装置６００は、光が提供されるにしたがって画像信号に応答して画像を表示する表示パネルアセンブリ１００、前記光を発生するバックライトアセンブリ２００、前記バックライトアセンブリ２００を収納する第１収納容器３００、表示パネルアセンブリ１００を収納する第２収納容器４００、及びトップシャーシ５００を含む。
【００２９】
より詳細には、前記表示パネルアセンブリ１００は、前記画像を表示する液晶表示パネル１１０、多数のデータ側テープキャリアパッケージ（以下、ＴＣＰ）１２０、多数のゲート側ＴＣＰ１２５、データ側印刷回路基板１３０、及びゲート側印刷回路基板１３５を含む。
【００３０】
前記液晶表示パネル１１０は、薄膜トランジスタ基板（以下、ＴＦＴ）１１１、前記ＴＦＴ基板１１１と互いに対向して結合するカラーフィルター基板１１２、及び前記ＴＦＴ基板１１１と前記カラーフィルター基板１１２との間に介在された液晶層（図示せず）を含む。
【００３１】
前記ＴＦＴ基板１１１は、多数の画素（図示せず）がマトリックス形態で具備される。前記それぞれの画素は、第１方向に延長されたゲートライン（図示せず）、前記第１方向と直交する第２方向に延長され前記ゲートラインと交差するデータライン（図示せず）、及び画素電極を具備する。前記各画素には、前記ゲートライン及び前記データラインと連結されスイッチ素子として動作されるＴＦＴが具備される。
【００３２】
前記カラーフィルター基板１１２は、薄膜工程によって形成され前記光を利用して所定の色を発現するＲＧＢ色画素（図示せず）、及び前記ＲＧＢ色画素上に形成され前記画素電極と向かい合う共通電極を具備する。
【００３３】
前記ＴＦＴ基板１１１と前記カラーフィルター基板１１２との間には、前記液晶層が具備される。前記液晶層は、前記画素電極と前記共通電極との間に形成される電界によって特定方向に配列され、前記バックライトアセンブリ２００から提供される光の透過度を調節する。
【００３４】
前記液晶表示パネル１１０のソース側には、前記多数のデータ側ＴＣＰ１２０が付着され、ゲート側には、前記多数のゲート側ＴＣＰ１２５が付着される。前記多数のデータ側及びゲート側ＴＣＰ１２０、１２５は、前記液晶表示パネル１１０を駆動するための駆動信号及び駆動時期を制御するためのタイミング信号を前記液晶表示パネル１１０に印加する。
【００３５】
前記多数のデータ側及びゲート側ＴＣＰ１２０、１２５は、前記データ側及びゲート側印刷回路基板１３０、１３５とそれぞれ連結される。前記データ側及びゲート側印刷回路基板１３０、１３５は、前記駆動信号及び前記タイミング信号を生成して、前記多数のデータ側及びゲート側ＴＣＰ１２０、１２５にそれぞれ印加する。
【００３６】
一方、前記表示パネルアセンブリ１００の下には、前記液晶表示パネル１１０に均一な光を提供するための前記バックライトアセンブリ２００が具備される。
【００３７】
前記バックライトアセンブリ２００は、前記光を発生する多数のランプ２１０、前記光を拡散する拡散板２３０、前記光の輝度を均一にする光学シート２４０、前記多数のランプ２１０を収納する第３収納容器２５０、及び前記光を反射する反射シート２６０を含む。
【００３８】
具体的に、前記多数のランプ２１０は、外部から提供される電源に応答して光を発生する。前記多数のランプ２１０は、前記液晶表示パネル１１０の画像が表示される有効表示領域に対応して互いに所定距離だけ離隔して配置され、前記光を前記液晶表示パネル１１０に出射する。
【００３９】
この実施形態において、前記バックライトアセンブリ２００は、前記光を発生する光源としてチューブ形状を有するランプを具備するが、発光ダイオード（ＬＥＤ）等のように、多様な形状の光源を前記バックライトアセンブリ２００の光源として具備することもできる。
【００４０】
前記多数のランプ２１０の上部には、前記拡散板２３０及び前記光学シート２４０が順次に具備される。前記拡散板２３０は、前記多数のランプ２１０からの光を拡散する。前記光学シート３４０は、前記拡散板２３０を通過した光の特性、例えば、輝度増加及び輝度均一性を向上させて、前記液晶表示パネル１１０に提供する。このために、前記光学シート２４０は、多様な光学シート、例えば、前記拡散板２３０からの光を集光するプリズムシートを具備することができる。
【００４１】
前記多数のランプ２１０、前記拡散板２３０、及び前記光学シート２４０は、前記第３収納容器２５０に収納される。前記第３収納容器２５０は、一部分が開口された底板２５１及び前記底板２５１のエッジを取り囲む側壁２５２を具備する。前記底板２５１の上面には、前記拡散板２３０及び前記光学シート２４０が順次に収納される。前記底板２５１の背面には、前記多数のランプ２１０が所定の距離だけ離隔して収納される。
【００４２】
一方、前記多数のランプ２１０の下には、前記反射シート２６０が具備される。前記反射シート２６０は、前記多数のランプ２１０から漏洩する光を前記拡散板２３０側に反射して光の利用効率を向上させる。又、前記反射シート２６０は、前記多数のランプ２１０から発生した熱を水平方向に拡散して、前記第１収納容器３００に伝導する。前記反射シート２６０については、後述する図４で詳細に説明する。
【００４３】
前記バックライトアセンブリ２００は、前記第１収納容器３００に収納される。前記第１収納容器３００は、前記反射シート２６０及び前記多数のランプ２１０が収納された前記第３収納容器２５０を順次に収納する。前記第１収納容器３００は、前記反射シート２６０が装着される底面３１０、前記底面３１０のエッジから垂直方向に延長された側壁２３０を具備する。前記第１収納容器３００は、前記多数のランプ２１０から発生された熱を外部に迅速に放出するように固く軽い金属材質、例えば、アルミニウム又はアルミニウム合金からなる。
【００４４】
前記液晶表示パネル１１０及びバックライトアセンブリ２００との間には、前記第２収納容器４００が具備される。前記第２収納容器４００は、前記バックライトアセンブリ４００から出射される光が前記液晶表示パネル１１０に提供されることができるように底面が開口される。前記第２収納容器４００は、前記液晶表示パネル１１０を収納する。又、前記第２収納容器４００は、前記第１収納容器３００と結合して、前記バックライトアセンブリ２００が前記第１収納容器３００から離脱することを防止する。
【００４５】
前記液晶表示パネル１１０の上部には、前記液晶表示パネル１１０の位置をガイドする前記トップシャーシ５００が具備される。前記トップシャーシ５００は、部分的に開口された底面５１０及び前記底面５１０のエッジを取り囲む側壁５２０を具備する。前記トップシャーシ５００は、前記第３収納容器２５０と互いに対向するように結合して、前記液晶表示パネル１１０を前記第２収納容器４００に固定する。この際、前記トップシャーシ５００は、前記液晶表示パネル１１０の前記有効表示領域を除いたエッジ領域を覆う。
【００４６】
図３は、図２に図示された多数のランプと第３収納容器との間の結合関係を示す部分分解斜視図である。
【００４７】
図３を参照すると、前記多数のランプ２１０は、第１乃至第８ランプ２１０ａ、２１０ｂ、２１０ｃ、２１０ｄ、２１０ｅ、２１０ｆ、２１０ｇ、２１０ｈで構成される。
【００４８】
この実施形態において、前記多数のランプ２１０は８個のランプで構成されるが、ランプの個数は前記液晶表示パネル１１０のサイズによって増加されるか、又は減少されることができる。
【００４９】
前記第１乃至第８ランプ２１０ａ、２１０ｂ、２１０ｃ、２１０ｄ、２１０ｅ、２１０ｆ、２１０ｇ、２１０ｈは、第１方向Ｄ１に延長されて形成され、前記第１方向Ｄ１と互いに直交する第２方向Ｄ２に互いに所定の間隔だけ離隔して配置される。
【００５０】
この実施形態において、前記各ランプ２１０ａ、２１０ｂ、２１０ｃ、２１０ｄ、２１０ｅ、２１０ｆ、２１０ｇ、２１０ｈは同じ構造を有する。従って、以下、前記第１ランプ２１０ａの構造について詳細に説明し、前記第２乃至第８ランプ２１０ｂ、２１０ｃ、２１０ｄ、２１０ｅ、２１０ｆ、２１０ｇ、２１０ｈの構造についての具体的な説明は省略する。
【００５１】
前記第１ランプ２１０ａは、電源が提供されるにしたがって光を発生するランプチューブ２１１、前記ランプチューブ２１１の第１端部ＥＡ１に具備される第１電極２１２、及び前記ランプチューブ２１１の第１端部ＥＡ１と対向する第２端部ＥＡ２に具備される第２電極２１３を含む。
【００５２】
具体的に、前記ランプチューブ２１１は第１方向Ｄ１に延長されて形成され、チューブ形状を有し、前記第１及び第２端部ＥＡ１、ＥＡ２が封入される。
【００５３】
前記ランプチューブ２１１内には放電ガスが注入され、内壁には蛍光物質が塗布される。前記放電ガスとしては、水銀、ネオン、アルゴン、クリプトン、及びキセノン等が用いられ、少なくとも２種類以上が共に前記ランプチューブ２１１に注入される。前記第１及び第２電極２１２、２１３から前記電源が前記ランプチューブ２１１に提供されると、前記放電ガスがイオン化され電子を発生して、水銀が電子によって紫外線を発生する。前記蛍光物質は、前記紫外線を可視光線に変更して出射する。
【００５４】
前記ランプチューブ２１１の第１端部ＥＡ１には、前記第１電極２１２が具備される。前記第１電極２１２は、前記ランプチューブ２１１の外周面を囲み、外部の電源供給装置（図示せず）と連結され前記電源供給装置から印加された前記電源を前記ランプチューブ２１１に提供する。
【００５５】
前記ランプチューブ２１１の第２端部ＥＡ２には、前記第２電極２１３が具備される。前記第２電極２１３は、前記ランプチューブ２１１の外周面を囲み、前記電源供給装置から印加された前記電源を前記ランプチューブ２１１に提供する。前記第２電極２１３は、前記第１電極２１２より相対的に高い電圧が印加され、これによってランプ駆動時、前記第１電極２１２より相対的に多い熱が発生する。
【００５６】
この実施形態において、前記第１ランプ２１０ａは、前記第１及び第２電極２１２、２１３を外部電極として具備するが、前記第１及び第２電極２１２、２１３のうち、いずれか一つの電極を内部電極として形成することもできる。又、前記第１ランプ２１０ａは、第１及び第２電極２１２、２１３を内部電極として形成することもできる。
【００５７】
前記ランプチューブ２１１の前記第１及び第２端部ＥＡ１、ＥＡ２は、前記第１及び第２電極２１２、２１３によって遮られるので、光が出射されない。前記光は、前記第１端部ＥＡ１と前記第２端部ＥＡ２との間に位置する有効発光領域ＬＡから出射される。
【００５８】
前記第１乃至第８ランプ２１０ａ、２１０ｂ、２１０ｃ、２１０ｄ、２１０ｅ、２１０ｆ、２１０ｇ、２１０ｈの第１及び第２電極は、第１及び第２ランプホルダー２２０ａ、２２０ｂにそれぞれ挿入される。前記第１及び第２ランプホルダー２２０ａ、２２０ｂは、前記電源供給装置から印加された電源を前記第１乃至第８ランプ２１０ａ、２１０ｂ、２１０ｃ、２１０ｄ、２１０ｅ、２１０ｆ、２１０ｇ、２１０ｈの第１及び第２電極に提供する。又、前記第１及び第２ランプホルダー２２０ａ、２２０ｂは、前記第１乃至第８ランプ２１０ａ、２１０ｂ、２１０ｃ、２１０ｄ、２１０ｅ、２１０ｆ、２１０ｇ、２１０ｈの位置を固定する。
【００５９】
前記第１ランプホルダー２２０ａは、前記第１乃至第８ランプ２１０ａ、２１０ｂ、２１０ｃ、２１０ｄ、２１０ｅ、２１０ｆ、２１０ｇ、２１０ｈの第１端部ＥＡ１に具備される。前記第１ランプホルダー２２０ａは、前記第１乃至第８ランプ２１０ａ、２１０ｂ、２１０ｃ、２１０ｄ、２１０ｅ、２１０ｆ、２１０ｇ、２１０ｈの第１電極が挿入されて、前記第１乃至第８ランプ２１０ａ、２１０ｂ、２１０ｃ、２１０ｄ、２１０ｅ、２１０ｆ、２１０ｇ、２１０ｈの第１電極に前記電源を印加する。
【００６０】
前記第２ランプホルダー２２０ｂは、前記第１乃至第８ランプ２１０ａ、２１０ｂ、２１０ｃ、２１０ｄ、２１０ｅ、２１０ｆ、２１０ｇ、２１０ｈの第２端部ＥＡ２に具備される。前記第２ランプホルダー２２０ｂは、前記第１乃至第８ランプ２１０ａ、２１０ｂ、２１０ｃ、２１０ｄ、２１０ｅ、２１０ｆ、２１０ｇ、２１０ｈの第２電極が挿入されて、前記第１乃至第８ランプ２１０ａ、２１０ｂ、２１０ｃ、２１０ｄ、２１０ｅ、２１０ｆ、２１０ｇ、２１０ｈの第２電極に前記電源を印加する。
【００６１】
この実施形態において、前記第１及び第２ランプホルダー２２０ａ、２２０ｂは、同じ構造を有する。従って、以下、前記第１ランプホルダー２２０ａの構造について詳細に説明し、前記第２ランプホルダー２２０ｂの構造についての説明は省略する。
【００６２】
前記第１ランプホルダー２２０ａは、前記第３収納容器２５０と結合するベース基板２２１及び前記ベース基板２２１の上面から突出される多数のランプクリップ２２２を具備する。
【００６３】
具体的に、前記ベース基板２２１は、前記第２方向Ｄ１に延長されて形成され、前記第３収納容器２５０と結合するための結合孔（不図示）が少なくとも一つ以上形成される。
【００６４】
前記多数のランプクリップ２２２は、第１乃至第８ランプクリップ２２２ａ、２２２ｂ、２２２ｃ、２２２ｄ、２２２ｅ、２２２ｆ、２２２ｇ、２２２ｈで構成される。
【００６５】
前記第１乃至第８ランプクリップ２２２ａ、２２２ｂ、２２２ｃ、２２２ｄ、２２２ｅ、２２２ｆ、２２２ｇ、２２２ｈは、前記ベース基板２２１上に前記第１方向Ｄ１に互いに所定の距離だけ離隔して配置される。前記第１乃至第８ランプクリップ２２２ａ、２２２ｂ、２２２ｃ、２２２ｄ、２２２ｅ、２２２ｆ、２２２ｇ、２２２ｈは、前記第１乃至第８ランプ２１０ａ、２１０ｂ、２１０ｃ、２１０ｄ、２１０ｅ、２１０ｆ、２１０ｇ、２１０ｈの前記第１電極を一部分囲み、前記第１乃至第８ランプ２１０ａ、２１０ｂ、２１０ｃ、２１０ｄ、２１０ｅ、２１０ｆ、２１０ｇ、２１０ｈの位置を固定する。この際、一つのランプクリップには一つのランプが挿入される。
【００６６】
前記第１乃至第８ランプクリップ２２２ａ、２２２ｂ、２２２ｃ、２２２ｄ、２２２ｅ、２２２ｆ、２２２ｇ、２２２ｈは、第１乃至第８ランプ２１０ａ、２１０ｂ、２１０ｃ、２１０ｄ、２１０ｅ、２１０ｆ、２１０ｇ、２１０ｈの第１電極と電気的に接続され、前記第１乃至第８ランプ２１０ａ、２１０ｂ、２１０ｃ、２１０ｄ、２１０ｅ、２１０ｆ、２１０ｇ、２１０ｈに前記電源を提供する。
【００６７】
この実施形態において、前記第１ランプホルダー２２０ａは、８個のランプクリップを具備し、前記ランプクリップの個数はランプの個数と同様に形成される。
【００６８】
前記第１及び第２ランプホルダー２２０ａ、２２０ｂは、前記第３収納容器２５０の底板２５１に収納される。前記底板２５１の背面には、前記多数のランプ２１０の第１及び第２端部ＥＡ１、ＥＡ２と対応する領域に前記第１及び第２ランプホルダー２２０ａ、２２０ｂを収納するための第１及び第２収納空間２５１ａ、２５１ｂが形成される。前記第１ランプホルダー２２０ａは前記第１収納空間２５１ａに収納され、前記第２ランプホルダー２２０ｂは前記第２収納空間２５１ｂに収納される。
【００６９】
前記第１及び第２収納空間２５１ａ、２５１ｂには、前記第１及び第２ランプホルダー２２０ａ、２２０ｂと結合するための少なくとも一つ以上の結合溝２５３が形成される。この際、前記結合溝２５３は、前記結合孔に対応して形成される。前記第１及び第２ランプホルダー２２０ａ、２２０ｂは、前記結合孔を貫通して前記結合溝２５３に締結されるスクリュー（図示せず）を利用して前記第３収納容器２５０と結合する。
【００７０】
図４は、図２に図示された反射シートを示す断面図であり、図５は、黒鉛の分子構造を説明するための図である。
【００７１】
図４及び図５を参照すると、前記反射シート２６０は、前記光を反射する反射層２６１、及び前記反射層２６１の一面に具備され前記多数のランプ２１０（図２参照）から発生された熱を拡散する分散層２６２で構成される。
【００７２】
具体的に、前記反射層は、ポリエチレンテレフタレート（ＰＥＴ）材質からなり、前記多数のランプ２１０からの光を前記拡散板２３０（図２参照）に反射して、前記光の利用効率を向上させる。
【００７３】
前記分散層２６２は、前記多数のランプ２１０からの光を水平方向ＨＤに拡散して、前記熱を効率的に放出する。前記分散層２６２は、黒鉛を含む有機物質からなる。
【００７４】
図５に示すように、前記黒鉛は炭素からなる六方晶系に属する鉱物である。前記黒鉛の分子構造は、炭素の６円環が２次的に連結された層状構造をなる。即ち、前記黒鉛の分子は、前記水平方向ＨＤに連結される板形状の構造で形成される。これによって、前記黒鉛は、垂直方向ＶＤの熱伝導率より前記水平方向ＨＤに熱伝導率が高い。即ち、前記黒鉛は、前記熱を前記垂直方向ＶＤに伝導する速度より前記水平方向ＨＤに伝導する速度がより速い。
【００７５】
図４を更に参照すると、前記分散層２６２は、このような特性を有する黒鉛を含み、これによって前記分散層２６２は、前記水平方向ＨＤの熱伝導率が前記垂直方向ＶＤの熱伝導率より高い。前記分散層２６２の熱伝導率を見ると、前期水平方向ＨＤの熱伝導率は約４００Ｗ／ｍｋであり、前記垂直方向ＶＤの熱伝導率は約６Ｗ／ｍｋである。
【００７６】
前記反射シート２６０は、前記反射層２６１と前記分散層２６２との間に介在され、前記反射層２６１に前記分散層２６２を結合する第１接着部材２６３を更に具備する。
【００７７】
図６は、図２のＩ−Ｉ’線に沿って切断した断面図であり、図７は、図６のＡ部分を拡大して示す拡大図である。
【００７８】
図６及び図７を参照すると、前記第１収納容器３００の底面３１０には、前記反射シート２６０及び前記多数のランプ２１０が収納された前記第３収納容器２５０が順次に装着される。
【００７９】
図７に示すように、前記反射層２６１の上面には前記多数のランプ２１０（図６参照）が具備される。前記反射層２６１の下部面には、前記第１接着部材２６３が付着される。
【００８０】
前記第１接着部材２６３は、前記分散層２６２の上面に具備される。前記分散層２６２の下部面には、第２接着部材２７０が具備される。前記第２接着部材２７０は、前記分散層２６２と前記第１収納容器３００の底面３１０との間に介在され、前記反射シート２６０を前記第１収納容器３００に付着させる。
【００８１】
前記多数のランプ２１０（図６参照）から発生した熱は、前記反射層２６２に伝導される。前記反射層２６２に伝導された熱は、前記分散層２６２に伝導される。前記分散層２６２は、前記熱を水平方向ＨＤに拡散する。前記水平方向ＨＤに拡散された熱は、前記第１収納容器３００の底面３１０に伝導され外部に放出される。
【００８２】
即ち、前記分散層２６２は、前記水平方向ＨＤの熱伝導率が前記垂直方向ＶＤの熱伝導率より高い。従って、前記分散層２６２は、前記反射層２６１から伝導された熱を、まず前記水平方向ＨＤに伝導して、前記熱を前記分散層２６２の内部に拡散する。前記分散層２６２は、前記水平方向ＨＤに拡散された熱を前記垂直方向ＶＤに伝導して、前記第１収納容器３００の底面３１０側に伝導する。
【００８３】
図６を更に参照すると、前記第１収納容器３００は、前記第３収納容器２５０と互いに対向して結合する。前記第３収納容器２５０の側壁２５２は、前記第１収納容器３００の側壁３２０を取り囲む。前記第３収納容器２５０の底板２５１には、前記拡散板２３０及び前記光学シート２４０が順次に装着される。前記第３収納容器２５０の側壁２５２には、前記第２収納容器４００が装着された段差部が形成される。
【００８４】
前記第２収納容器４００は、前記液晶表示パネル１１０を収納する。前記トップシャーシ５００は、前記液晶表示パネル１００のエッジ領域を覆いながら、前記第３収納容器２５０と結合する。この際、前記トップシャーシ５００の側壁５２０は、前記第３収納容器２５０の側壁２５２を取り囲む。
【００８５】
以下、図面と表を参照しながら、液晶表示装置の温度分布を前記反射シート２６０に適用した場合と、一般的な反射シートを適用した場合を比較して具体的に説明する。
【００８６】
前述した本発明を採用すると、表示装置で熱を分散する方法が可能である。即ち、本発明の一実施例による熱分散方法は、バックライトアセンブリから反射シートを通じて表示装置の収納容器に熱を分散させるが、前記反射シートの表面と平行な方向への熱分散が前記反射シートの表面と垂直な方向への熱分散より速くなるように熱を分散させる段階を含む。前記熱を分散する方法は、前記バックライトから発生された光を反射させる反射物質と、前記バックライトから生成された熱を分散させる分散物質を含む反射シートを提供する段階を更に含む。他の実施例によると、前記反射物質は反射層を形成し、分散物質は分散層を形成する。前記実施例は、第１接着部材を利用して前記反射層を前記分散層に接着する段階、第２接着部材を利用して前記分散層を前記収納容器に接着させる段階を含む。他の実施例によると、前記方法は前記反射物質を前記分散物質に混合して前記反射シートを形成する段階を含む。
【００８７】
図８は、図２に図示された多数のランプの温度を説明するための平面図である。
【００８８】
図８を参照すると、前記多数のランプ２１０は、前記第３収納容器２５０に収納される。
【００８９】
前記多数のランプ２１０が収納された領域を第１乃至第３メイン領域ＭＡ１、ＭＡ２、ＭＡ３に区画する。前記第１乃至第３メイン領域ＭＡ１、ＭＡ２、ＭＡ３のサイズは互いに同じであり、前記第２方向Ｄ２に順次に位置する。
【００９０】
前記液晶表示装置６００（図２参照）は地面に対して垂直方向、即ち、前記第２方向Ｄ２に立てて使用することが一般的である。前記第１メイン領域ＭＡ１は、前記地面と隣接して位置する。前記第１メイン領域ＭＡ１は、第１乃至第３サブ領域ＳＡ１、ＳＡ２、ＳＡ３に区画される。前記第１乃至第３サブ領域ＳＡ１、ＳＡ２、ＳＡ３は、前記第２方向Ｄ２に順次に位置する。
【００９１】
前記第２メイン領域ＭＡ２は、前記第１メイン領域ＭＡ１より前記地面から離れて位置する。前記第２メイン領域ＭＡ２は、第４乃至第６サブ領域ＳＡ４、ＳＡ５、ＳＡ６に区画される。前記第４乃至第６サブ領域ＳＡ４、ＳＡ５、ＳＡ６は、前記第２方向Ｄ２に順次に位置する。
【００９２】
前記第３メイン領域ＭＡ３は、前記第２メイン領域ＭＡ２より前記地面から離れて位置する。前記第３メイン領域ＭＡ３は、第７乃至第９サブ領域ＳＡ７、ＳＡ８、ＳＡ９に区画される。前記第７乃至第９サブ領域ＳＡ７、ＳＡ８、ＳＡ９は、前記第２方向Ｄ２に順次に位置する。
【００９３】
前記第１乃至第９サブ領域ＳＡ１、ＳＡ２、ＳＡ３、ＳＡ４、ＳＡ５、ＳＡ６、ＳＡ７、ＳＡ８、ＳＡ９のサイズは同じである。
【００９４】
前記第１サブ領域ＳＡ１、前記第４サブ領域ＳＡ４、及び前記第７サブ領域ＳＡ７には、前記多数のランプ２１０の前記第１端部ＥＡ１が位置する。前記第３サブ領域ＳＡ３、前記第６サブ領域ＳＡ６、及び前記第９サブ領域ＳＡ９には、前記多数のランプ２１０の前記第２端部ＥＡ２が位置する。
【００９５】
下記の表２は、前記多数のランプ２１０を一般的な反射シートを採用して駆動した後、前記多数のランプ２１０の温度を測定した結果、及び本発明による反射シート２６０を採用して駆動した後、前記多数のランプ２１０の温度を測定した結果を比較して示す。
【００９６】
この際、前記多数のランプ２１０の温度は、前記第１乃至第９サブ領域ＳＡ１、ＳＡ２、ＳＡ３、ＳＡ４、ＳＡ５、ＳＡ６、ＳＡ７、ＳＡ８、ＳＡ９別に測定して、前記多数のランプ２１０の駆動時間及び管電圧は、実質的に同じ条件下で測定する。
【００９７】
【表２】
2006126843.tif 000004
【００９８】
前記表２を参照すると、前記第３メイン領域ＭＡ３が前記第１及び第２メイン領域ＭＡ１、ＭＡ２より比較的温度が高い。これは、熱が液晶表示装置の上部側に集中される対流現象のためである。
【００９９】
各メイン領域ＭＡ１、ＭＡ２、ＭＡ３別に温度分布を示すと、前記第１メイン領域ＭＡ１は、前記第１サブ領域ＳＡ１の温度が一番低く、前記第３サブ領域ＳＡ３の温度が一番高い。前記第２メイン領域ＭＡ２は、前記第４サブ領域ＳＡ４の温度が一番低く、前記第６サブ領域ＳＡ６の温度が一番高い。前記第３メイン領域ＭＡ３は、前記第９サブ領域ＳＡ９の温度が一番高く、前記第７サブ領域ＳＡ７の温度が一番低い。
【０１００】
即ち、前記第１サブ領域ＳＡ１、前記第４サブ領域ＳＡ４、及び前記第７サブ領域ＳＡ７の温度が前記第３サブ領域ＳＡ３、前記第６サブ領域ＳＡ６、及び第９サブ領域ＳＡ９の温度より低い。これは、前記第１サブ領域ＳＡ１、前記第４サブ領域ＳＡ４、及び前記第７サブ領域ＳＡ７には、前記多数のランプ２１０の第１電極が位置して、前記第３サブ領域ＳＡ３、前記第６サブ領域ＳＡ６、及び第９サブ領域ＳＡ９には、前記第１電極より相対的に高い電圧が印加される第２電極が位置するためである。
【０１０１】
一般的な反射シートを採用した場合と本発明による反射シート２６０を採用した場合を比較すると、前記反射シート２６０を採用した場合が、一般反射シートを採用した場合より温度が各サブ領域ＳＡ１、ＳＡ２、ＳＡ３、ＳＡ４、ＳＡ５、ＳＡ６、ＳＡ７、ＳＡ８、ＳＡ９別に約１０℃程度下がった。特に、前記多数のランプ２１０の第２電極が位置する第３サブ領域ＳＡ３、前記第６サブ領域ＳＡ６、及び前記第９サブ領域ＳＡ９は、温度が約５℃乃至約１４℃程度下がった。
【０１０２】
又、相対的に温度が一番高い前記第９サブ領域ＳＡ９と温度が一番低い前記第１サブ領域ＳＡ１との間の温度偏差は、前記一般的な反射シートを採用した場合は約２７℃程度であり、前記反射シート２６０を採用した場合は約１８℃程度である。
【０１０３】
これは、前記反射シート２６０の前記分散層２６２（図４参照）が前記垂直方向の熱伝導率より前記水平方向の熱伝導率が高いためである。即ち、前記分散層２６２は、前記サブ領域のうち、比較的温度が高い前記第３サブ領域ＳＡ３、前記第６サブ領域ＳＡ６、及び前記第９サブ領域ＳＡ９の熱を他のサブ領域ＳＡ１、ＳＡ２、ＳＡ４、ＳＡ５、ＳＡ７、ＳＡ８に拡散する。その結果、前記サブ領域ＳＡ１、ＳＡ２、ＳＡ３、ＳＡ４、ＳＡ５、ＳＡ６、ＳＡ７、ＳＡ８、ＳＡ９間の温度差異を減少させることができる。前記分散層２６２は、このように拡散した熱を前記第１収納容器３００に伝導する。
【０１０４】
このように、前記反射シート２６０は、前記熱が前記第３サブ領域ＳＡ３、前記第６サブ領域ＳＡ６、及び前記第９サブ領域ＳＡ９に集中されることを防止して、前記多数のランプ２１０の第１電極側と前記第２電極側との間の輝度偏差を減少させることができる。
【０１０５】
又、前記反射シート２６０は、前記熱をまず水平方向に伝導しながら垂直方向に伝導する。その結果、前記反射シート２６０は、より効率的に前記熱を前記第１収納容器３００側に伝導して、前記バックライトアセンブリ２００（図２参照）の内部温度が上昇することを防止することができる。従って、前記バックライトアセンブリ２００は、内部温度が上昇して前記多数のランプ２１０の輝度が減少することを防止することができる。
【０１０６】
図９は、図２に図示された液晶表示装置の温度分布を説明するための平面図である。
【０１０７】
図８及び図９を参照すると、前記液晶表示パネル１１０の前記有効表示領域を前記第１乃至第９サブ領域ＳＡ１、ＳＡ２、ＳＡ３、ＳＡ４、ＳＡ５、ＳＡ６、ＳＡ７、ＳＡ８、ＳＡ９と対応する第１乃至第９表示領域ＤＰ１、ＤＰ２、ＤＰ３、ＤＰ４、ＤＰ５、ＤＰ６、ＤＰ７、ＤＰ８、ＤＰ９に区画する。前記第１乃至第９表示領域ＤＰ１、ＤＰ２、ＤＰ３、ＤＰ４、ＤＰ５、ＤＰ６、ＤＰ７、ＤＰ８、ＤＰ９のサイズは同じである。
【０１０８】
前記第１乃至第３表示領域ＤＰ１、ＤＰ２、ＤＰ３は、前記第１乃至第３サブ領域ＳＡ１、ＳＡ２、ＳＡ３とそれぞれ対応して、前記地面と隣接して位置する。
【０１０９】
前記第４乃至第６表示領域ＤＰ４、ＤＰ５、ＤＰ６は、前記第４乃至第６サブ領域ＳＡ４、ＳＡ５、ＳＡ６とそれぞれ対応して、前記地面から前記第１乃至第３表示領域ＤＰ１、ＤＰ２、ＤＰ３より遠く離れて位置する。
【０１１０】
前記第７乃至前記第９表示領域ＤＰ７、ＤＰ８、ＤＰ９は、前記第７乃至第９サブ領域ＳＡ７、ＳＡ８、ＳＡ９とそれぞれ対応し、前記地面から前記第４乃至第６表示領域ＤＰ４、ＤＰ５、ＤＰ６より遠く離れて位置する。
【０１１１】
図示していないが、前記第１表示領域ＤＰ１、前記第４表示領域ＤＰ４、及び前記第７表示領域ＤＰ７は、前記多数のランプ２１０（図３参照）の第１端部ＥＡ１と隣接して位置する。前記第３表示領域ＤＰ３、前記第６表示領域ＤＰ６、及び前記第９表示領域ＤＰ９は、前記多数のランプ２１０（図３参照）の第２端部ＥＡ２と隣接して位置する。
【０１１２】
前記液晶表示パネル１１０の表面温度は、前記多数のランプ２１０の温度と比例する。従って、前記第１乃至第９表示領域ＤＰ１、ＤＰ２、ＤＰ３、ＤＰ４、ＤＰ５、ＤＰ６、ＤＰ７、ＤＰ８、ＤＰ９の温度分布は、第１乃至第９サブ領域ＳＡ１、ＳＡ２、ＳＡ３、ＳＡ４、ＳＡ５、ＳＡ６、ＳＡ７、ＳＡ８、ＳＡ９の温度分布と類似な構造を有する。
【０１１３】
例えば、前記第１サブ領域ＳＡ１の温度が上昇すると、前記第１表示領域ＤＰ１の温度が上昇し、前記第１サブ領域ＳＡ１の温度が減少すると、前記第１表示領域ＤＰ１の温度も減少する。
【０１１４】
この際、前記液晶表示パネル１１０は、前記多数のランプ２１０と所定距離だけ離隔される。これによって、前記第１乃至第９サブ領域ＳＡ１、ＳＡ２、ＳＡ３、ＳＡ４、ＳＡ５、ＳＡ６、ＳＡ７、ＳＡ８、ＳＡ９の温度が前記第１乃至第９表示領域ＤＰ１、ＤＰ２、ＤＰ３、ＤＰ４、ＤＰ５、ＤＰ６、ＤＰ７、ＤＰ８、ＤＰ９の温度より低い。
【０１１５】
又、温度が減少または上昇する幅が、前記第１乃至第９サブ領域ＳＡ１、ＳＡ２、ＳＡ３、ＳＡ４、ＳＡ５、ＳＡ６、ＳＡ７、ＳＡ８、ＳＡ９より前記第１乃至第９表示領域ＤＰ１、ＤＰ２、ＤＰ３、ＤＰ４、ＤＰ５、ＤＰ６、ＤＰ７、ＤＰ８、ＤＰ９の方が小さい。例えば、前記第１サブ領域ＳＡ１の温度が約１０℃程度減少すると、前記第１表示領域ＤＰ１の温度は約２℃程度減少する。
【０１１６】
下記する表３は、液晶表示装置を一般的な反射シートを採用して駆動した後、前記液晶表示パネル１１０の表面温度を測定した結果、及び本発明による反射シート２６０（図４参照）を採用して駆動した後、前記液晶表示パネル１１０の表面温度を測定した結果を比較して示す。
【０１１７】
この際、前記液晶表示パネル１１０の表面温度は、前記多数のランプ２１０からの熱が集中される前記第５表示領域ＤＰ５、前記第６表示領域ＤＰ６、前記第８表示領域ＤＰ８、及び前記第９表示領域ＤＰ９別に測定して、液晶表示装置の駆動時間を同一条件下で測定する。
【０１１８】
【表３】
2006126843.tif 000005
【０１１９】
前記表３を参照すると、前記第５表示領域ＤＰ５、前記第６表示領域ＤＰ６、前記第８表示領域ＤＰ８、及び前記第９表示領域ＤＰ９の温度は、一般反射シートを適用した場合には約４２℃〜約４６℃であり、前記反射シート２６０を適用した場合には約４０℃〜約４４℃である。
【０１２０】
即ち、前記液晶表示パネル１１０の表面温度は、前記反射シート２６０を適用した場合の方が、前記一般反射シートを適用した場合より約２℃程度減少した。これは、前記液晶表示パネル１１０の表面に人の感覚でもその差異が顕著に感じることができる程度の温度差である。
【０１２１】
特に、前記液晶表示パネル１１０の温度が約２℃程度減少すると、前記多数のランプ２１０に提供される管電流を約１ｍＡ乃至２ｍＡ程度減少させなければならない。前記多数のランプ２１０の管電流を減少させると、前記多数のランプ２１０の輝度が減少するので、表示品質が低下する。前記反射シート２６０は、前記多数のランプ２１０の管電流を減少させることなく、前記液晶表示パネル１１０の表面温度を減少させることができるので、表示品質を向上させることができる。
【産業上の利用可能性】
【０１２２】
以上で説明したように、本発明によると、液晶表示装置は水平方向の熱伝導率が垂直方向の熱伝導率より相対的に高い反射シートを具備する。これによって、反射シートは多数のランプから発生された熱を水平方向に迅速に拡散して、多数のランプの第１電極側と、第１電極より相対的に高い電圧が印加される第２電極側との間の温度差異を減少させることができる。その結果、液晶表示装置は輝度分布を均一に維持することができる。
【０１２３】
又、反射シートは、熱を水平方向に迅速に伝導しながら垂直方向に伝導するので、多数のランプから発生した熱を第１収納容器に迅速に伝導する。これによって、反射シートは、バックライトアセンブリの内部温度が上昇することを抑制することができ、これによって多数のランプの輝度が減少することを防止することができ、液晶表示装置の表示品質を向上させることができる。
【０１２４】
以上、本発明の実施形態によって詳細に説明したが、本発明はこれに限定されず、本発明が属する技術分野において通常の知識を有するものであれば本発明の思想と範囲を離れることなく、本発明を修正または変更できる。
【図面の簡単な説明】
【０１２５】
【図１】従来の直下型バックライトアセンブリにおける多数のランプの温度分布を説明するための平面図である。
【図２】本発明の一実施例による液晶表示装置を示す分解斜視図である。
【図３】図２に図示された多数のランプと第３収納容器との間の結合関係を示す部分分解斜視図である。
【図４】図２に図示された反射シートを示す断面図である。
【図５】黒鉛の分子構造を説明するための図である。
【図６】図２のＩ−Ｉ’線に沿って切断した断面図である。
【図７】図６のＡ部分を拡大して示す拡大図である。
【図８】図２に図示された多数のランプの温度分布を説明するための平面図である。
【図９】図２に図示された液晶表示装置の温度分布を説明するための平面図である。
【符号の説明】
【０１２６】
１００    表示パネルアセンブリ、
１１０    液晶表示パネル、
２００    バックライトアセンブリ、
２１０    多数のランプ、
２２０ａ、２２０ｂ    ランプホルダー、
２３０    拡散板、
２４０    光学シート、
２５０    第３収納容器、
２６０    反射シート、
２６１    反射層、
２６２    分散層、
３００    第１収納容器、
４００    第２収納容器、
５００    トップシャーシ、
６００    液晶表示装置。
【図１】
2006126843.tif 000006
【図２】
2006126843.tif 000007
【図３】
2006126843.tif 000008
【図４】
2006126843.tif 000009
【図５】
2006126843.tif 000010
【図６】
2006126843.tif 000011
【図７】
2006126843.tif 000012
【図８】
2006126843.tif 000013
【図９】
2006126843.tif 000014